(57)【特許請求の範囲】
【請求項１】
鉛直方向に支持されたマストに対しアンテナ本体を水平または鉛直のいずれの方向にも取付可能なアンテナの取付構造であって、
前記アンテナ本体の背面側のほぼ中央部に設けられ、マスト取付金具を前記アンテナ本体の背面に対し平行または直交する方向に位置決めする複数の突起を備えた位置決め金具と、
前記位置決め金具の突起を嵌入可能な複数の嵌合部を備え、前記アンテナ本体に対し前記位置決め金具とともにボルトで固定され、前記マストの一方の面に係合する凹状係合部を備えたマスト取付金具と、
前記マスト取付金具の凹状係合部を前記マストの一方の面を係合させた状態で、マストの反対側である他方の面を押圧して係合する凹状係合部を備え、この凹状係合部と前記取付金具の凹状係合部との間で前記マストを挟持して固定するマスト押さえ金具と、
前記マスト押さえ金具の両端部に設けたボルト孔を挿通し前記取付金具側に設けたねじ孔に螺合させて緊締する一対の長尺ボルトとを具備し、
さらに、前記アンテナ本体が樹脂製筐体にアンテナ素子を内蔵して構成され、
前記位置決め金具は前記ボルトのねじ孔および固定用止めネジのねじ孔がそれぞれ形成され前記筐体内の背面に当接させて配置され、前記筐体背面に設けた前記固定用止めネジの挿通孔から前記固定用止めネジを挿通して固定用止めネジのねじ孔に螺合させて締め付けることにより固定され、
前記筐体の背面に設けた複数の開口から前記突起を外方へ突出させ、それらの突出する突起に前記マスト取付金具の嵌合部を嵌入させた状態で、前記マスト取付金具に設けたボルト孔から前記ボルトを挿入し、前記筐体の背面に設けたボルト孔を一連に挿通させ、前記位置決め金具のねじ孔に螺合させて締め付けることにより前記筐体の背面を内外両面から挟持して位置決め金具とマスト取付金具とを一体に固定したことを特徴とするアンテナ取付構造。
【請求項２】
前記マスト押さえ金具には、前記各長尺ボルトが挿通される一対の長孔または遊嵌される大きめの一対の孔を前記ボルト孔として穿設したことを特徴とする請求項１記載のアンテナの取付構造。
【請求項３】
前記筐体の背面から内部にかけて、一対の前記長尺ボルトを前記マスト押さえ金具の各ボルト孔に挿通させた状態で挿入可能な挿入部を形成したことを特徴とする請求項２記載のアンテナの取付構造。
【請求項４】
前記マスト押さえ金具を、前記マスト取付金具に対し覆い被せられるように前記マスト取付金具よりやや大きく形成したことを特徴とする請求項３に記載のアンテナの取付構造。
【請求項５】
前記マスト押さえ金具の中央部に、前記マスト取付金具固定用の前記ボルトの頭部を工具で操作可能な開口部を設けたことを特徴とする請求項１〜４のいずれか１つに記載のアンテナの取付構造。
【請求項６】
前記位置決め金具の突起およびこれらに対応する前記マスト取付金具の嵌合部はそれぞれ４つで、突起間および嵌合部間の距離がそれぞれ同一であることを特徴とする請求項１〜５のいずれか１つに記載のアンテナの取付構造。
【請求項７】
前記マスト取付金具の裏面の、前記筐体背面の止めネジおよびその周辺部に対応する箇所に、凹み部分を設けたことを特徴とする請求項１〜６のいずれか１つに記載のアンテナの取付構造。
【発明の詳細な説明】
【技術分野】
【０００１】
この発明は、例えばベランダや屋上に鉛直方向に立設されるマストに対し、アンテナ本体を水平または鉛直のいずれの方向にも取付可能なアンテナの取付構造に関するもので、詳しくは、例えば地上デジタルテレビ放送用のＵＨＦテレビ電波の水平偏波あるいは垂直偏波のいずれにも対応でき、かつ電波の到来方向に応じてアンテナの向きを変更できる取付金具を含む、簡易型のアンテナの取付構造に関する。
【背景技術】
【０００２】
この種のアンテナの取付構造に関する先行技術として、例えば、アンテナ本体の背面に断面が円弧の十字溝を凹設してその相隣接する外端を弧状孔で連通し、各弧状孔の対向面の周縁に突起縁を形成したうえ、この突起縁に前記十字溝と平行に４箇所の支柱（マスト）受け溝と収納用切欠き溝とを形成した受け金具と、この受け金具の弧状孔に挿通して基部を十字溝に嵌挿させるＵボルトと、このＵボルトに挿通して前記受け金具とで支柱を挟持する押さえ金具と、Ｕボルトの両側ねじ部に螺合させ押さえ金具と受け金具を介して支柱を緊締する一対のナットとからなるアンテナ取付具が提案されている（例えば、特許文献１参照）。
【特許文献１】実開昭４９−１０６２４２号公報（第１頁〜第３頁および第１図〜第３図）
【発明の開示】
【発明が解決しようとする課題】
【０００３】
しかし、上記した従来のアンテナ取付具には、つぎのような解決すべき課題が残されている。すなわち、例えばベランダに固定されたマストに上記アンテナ取付具を用いてアンテナを取り付けた状態で、アンテナは一般的にベランダの格子等から前方(外方）へ突出する一方、Ｕボルトの両側のねじ部分がベランダの内側へ突出する（特許文献１の第３図参照）。
【０００４】
したがって、ベランダ内を通行したり、洗濯物を干すなどの作業をしたり、子供が遊んだりする場合に、突出するＵボルトの両側ねじ部分でけがをするなど非常に危険な面がある。また、押さえ金具とともにＵボルトの両側のねじ部分が内側へ突出した状態で露呈しているので、外観上も良好ではなく、また特にねじ部分が風雨に当たって短期間で錆びたり劣化したりするおそれがあり、耐久性にも欠ける。
【０００５】
この発明は上述の点に鑑みなされたもので、受信しようとする電波の偏波の向き（水平または垂直）に合わせてアンテナ本体を水平または鉛直のいずれかの方向に向けて簡単に取り付けることができ、また同電波の到来方向に対応させてアンテナの向きを任意に変更でき、しかもマスト等に取り付けた状態でボルトや止め金具などがベランダ等の内側へは一切突出せず、安全性に優れ、また構造が簡単で熟練の有無に拘わらず簡単に取り付けでき、外観上も良好で、耐久性にも富み、風雨や日光に晒されても長期間安定して使用できるアンテナの取付構造を提供しようとするものである。
【課題を解決するための手段】
【０００６】
上記の目的を達成するために本発明に係るアンテナの取付構造は、鉛直方向に支持されたマストに対しアンテナ本体を水平または鉛直のいずれの方向にも取付可能なアンテナの取付構造であって、前記アンテナ本体の背面側のほぼ中央部に設けられ、マスト取付金具を前記アンテナ本体の背面に対し平行または直交する方向に位置決めする複数の突起を備えた位置決め金具と、前記位置決め金具の突起を嵌入可能な複数の嵌合部を備え、前記ア
ンテナ本体に対し前記位置決め金具とともにボルトで固定され、前記マストの一方の面に係合する凹状係合部を備えたマスト取付金具と、前記マスト取付金具の凹状係合部を前記マストの一方の面を係合させた状態で、マストの反対側である他方の面を押圧して係合する凹状係合部を備え、この凹状係合部と前記取付金具の凹状係合部との間で前記マストを挟持して固定するマスト押さえ金具と、前記マスト押さえ金具の両端部に設けたボルト孔を挿通し前記取付金具側に設けたねじ孔に螺合させて緊締する一対の長尺ボルトとを具備し、さらに、前記アンテナ本体が樹脂製筐体にアンテナ素子を内蔵して構成され、前記位置決め金具は前記ボルトのねじ孔および固定用止めネジのねじ孔がそれぞれ形成され前記筐体内の背面に当接させて配置され、前記筐体背面に設けた前記固定用止めネジの挿通孔から前記固定用止めネジを挿通して固定用止めネジのねじ孔に螺合させて締め付けることにより固定され、前記筐体の背面に設けた複数の開口から前記突起を外方へ突出させ、それらの突出する突起に前記マスト取付金具の嵌合部を嵌入させた状態で、前記マスト取付金具に設けたボルト孔から前記ボルトを挿入し、前記筐体の背面に設けたボルト孔を一連に挿通させ、前記位置決め金具のねじ孔に螺合させて締め付けることにより前記筐体の背面を内外両面から挟持して位置決め金具とマスト取付金具とを一体に固定したことを特徴とする。
【０００７】
上記の構成を有する本発明に係るアンテナの取付構造によれば、例えばベランダに鉛直方向に立設されたマストに対し取り付ける場合に、受信しようとする電波の偏波の向き（水平あるいは垂直）に合わせてアンテナ本体を水平あるいは鉛直に向けて取り付けできるように、マスト取付金具をアンテナ本体の背面に平行あるいは直交する方向に配置し、位置決め金具の突起にマスト取付金具の嵌合部を嵌入させてボルトで固定する。マスト取付金具の凹状係合部をマストの前方の面に押し当て、この状態でマスト押さえ金具の凹状係合部をマストの後方の面に押し当てて挟持し、前記受信しようとする電波の到来方向に向けてアンテナ本体をマストに対し水平に旋回させた状態で、一対の長尺ボルトをマスト押さえ金具のボルト孔に挿通して前記取付金具側のねじ孔に螺合して締め付けることによりアンテナ本体を取り付けることができる。この取付状態で、マストの後方の面（背面）にはマスト押さえ金具が当接し、一対のボルトの頭部だけがマスト押さえ金具の後方に突出している。したがって、従来の取付構造と違ってベランダ内へＵボルトの両側ねじ部分が大きく突出することがなく、安全性が高く、外観も良好で体裁がよい。
【０００９】
また、樹脂製筐体の背面を位置決め金具とマスト取付金具とで挟持した状態で固定しているので、マスト取付金具を筐体の背面にしっかりと取り付けることができ、筐体自体の強度を補強する作用もある。また、アンテナ素子が樹脂製筐体に内蔵されており、マストに取り付けた状態が美しく、またアンテナ素子をはじめ取付構造の主要部分も風雨や日光に晒され難いので、耐久性に富み長期にわたり安定した使用が可能になる。
【００１０】
請求項２に記載のように、前記マスト押さえ金具には、前記各長尺ボルトが挿通される一対の長孔または遊嵌される大きめの一対の孔を前記ボルト孔として穿設することが好ましい。
【００１１】
請求項２に記載のアンテナの取付構造によれば、一対のボルトで固定する際にマスト押さえ金具の長手方向の位置若しくは全方向の位置を調整できるので、加工精度を低減でき、製作が容易になる。
【００１２】
請求項３に記載のように、前記筐体の背面から内部にかけて、一対の前記長尺ボルトを前記マスト押さえ金具の各ボルト孔から挿通させた状態で挿入可能な挿入部を形成するこ
とができる。
【００１３】
請求項３に記載のアンテナの取付構造によれば、梱包状態でマスト押さえ金具のボルト孔から挿通させた長尺ボルトをマスト取付金具のねじ孔に螺合し、マスト本体側に長尺ボルトの先端部分を突き出させ、筐体の挿入部内に挿入することができるので、一対の長尺ボルトを含め、コンパクトに一体化でき、収納スペースが小さくなり、かつマスト押さえ金具とマスト取付金具が一つになり、ガタつきもない。また、鉛直に立設されたマストに対しアンテナ本体を水平に取り付けた状態で、マスト取付金具のねじ孔からアンテナ本体側に突出する長尺ボルトの先端部分が挿入部に挿入され、外部に露呈されないので、体裁がよい上に風雨が当たって長尺ボルトの先端部分が錆び付くのが防止される。しかも、一対の長尺ボルトの先端部分でもアンテナ本体を水平に支持するので、アンテナ本体がしっかりと水平に保持される。
【００１４】
なお、アンテナ本体を鉛直に取り付ける場合に、一対の長尺ボルトの先端部分の間隔をアンテナ本体(筐体)の背面側の厚みとほぼ同一(背面側の厚みよりわずかに広く）にすれば、アンテナ本体を一対の長尺ボルトの先端部分で挟持して鉛直方向に支持できる。
【００１５】
請求項４に記載のように、前記マスト押さえ金具を、前記マスト取付金具に対し覆い被せられるように前記マスト取付金具よりやや大きく形成することができる。
【００１６】
請求項４に記載のアンテナの取付構造によれば、請求項４記載の取付構造において、マスト押さえ金具とマスト取付金具を一対の長尺ボルトを締め付けて一つにした際に、マスト押さえ金具内にマスト取付金具が入り込み、一層コンパクトになる。
【００１７】
請求項５に記載のように、前記マスト押さえ金具の中央部に、前記マスト取付金具固定用の前記ボルトの頭部を工具で操作可能な開口部を設けることができる。
【００１８】
請求項５に記載のアンテナの取付構造によれば、例えばマストに取り付けるアンテナ本体の向きを鉛直から水平または水平から鉛直に変更する場合、マスト押さえ金具の中央開口部から工具を挿入し、位置決め金具に対しマスト取付金具を固定しているボルトを緩め、マスト取付金具を位置決め金具から引き離し、マスト取付金具の嵌合部を突起から抜き出す。そして、鉛直方向に９０°回転させた状態で、再びマスト取付金具の嵌合部を位置決め金具の突起に嵌め込み、ボルトを工具で締め付ける。このあと、マスト取付金具の凹状係合部とマスト押さえ金具の凹状係合部でマストを挟持し、一対の長尺ボルトをマスト押さえ金具のねじ孔に螺合して締め付けることにより取り付けることができる。
【００１９】
請求項６に記載のように、前記位置決め金具の突起およびこれらに対応する前記マスト取付金具の嵌合部はそれぞれ４つで、突起間および嵌合部間の距離をそれぞれ同一にすることが好ましい。
【００２０】
請求項６に記載のアンテナの取付構造によれば、マスト取付金具はアンテナ本体の背面に対し平行(水平）および直交（鉛直）のいずれの状態でも常に位置決め金具の４つの突起がマスト取付金具の嵌合部に嵌入されて位置決めされるので、マスト取付金具がアンテナ本体の背面にしっかりと固定される。
【００２１】
請求項７に記載のように、前記マスト取付金具の裏面の、前記筐体背面の止めネジおよびその周辺部に対応する箇所に、凹み部分を設けることができる。
【００２２】
請求項７に記載のアンテナの取付構造によれば、例えばマスト取付金具やアンテナ本体の加工精度によっては腹当たりとなってボルトを締め付けてもガタが生じる場合においても、マスト取付金具がアンテナ本体の背面の止めネジと接触する箇所に凹状部分(凹み)を設けているので、ガタが生じず、確実に固定できる。
【発明の効果】
【００２３】
本発明に係るアンテナの取付構造には、つぎのような優れた効果がある。すなわち、
受信しようとする電波の偏波の向き（水平または垂直）に合わせてアンテナ本体を水平または鉛直のいずれかの方向に向けて取り付けることができ、またアンテナ本体をマストに取り付けた状態でも同電波の到来方向に応じてアンテナの向きを容易に変更でき、しかもマスト等に取り付けた状態でボルトや止め金具などがベランダなどの内側へは突出せず、安全性が高く、また熟練の有無に関係なく誰にでも容易にかつ確実にマストに取り付けることができ、さらに外観上も良好で、耐久性にも富み、風雨や日光に晒されても長期間安定して使用できる。
【発明を実施するための最良の形態】
【００２４】
以下、本発明に係るアンテナの取付構造を実施するための最良の形態を図面に基づいて説明する。
【００２５】
図１は本発明の実施例に係るアンテナの取付構造を示す背面側（後方）の上方より見たアンテナ本体の上蓋を取り外した状態の、位置決め金具、マスト取付金具およびマスト押さえ金具の分解斜視図で、アンテナ素子を省略している。図２は図１に示すアンテナの取付構造をアンテナ本体の正面側の下方より見た状態の、マスト取付金具およびマスト押さえ金具の斜視図である。図３はアンテナ本体を背面側上方より見た斜視図、図４は鉛直方向に立設したマストにアンテナ本体を水平に取り付た状態（アンテナ本体を水平偏波受信状態にマストに取り付けた態様）を示すもので、図４−１（ａ）は同平面図、図４−１（ｂ）は同正面図、図４−２（ｃ）は同側面図、図４−２（ｄ）は同背面図である。図５は鉛直方向に立設したマストにアンテナ本体を鉛直に取り付た状態（アンテナ本体を垂直偏波受信状態にマストに取り付けた態様）を示すもので、図５−１（ａ）は同平面図、図５−１（ｂ）は同正面図、図５−２（ｃ）は同側面図、図５−２（ｄ）は同背面図である。図６は梱包状態を示すもので、図６（ａ）は同平面図、図６（ｂ）は同側面図である。
【００２６】
図１に示すように、アンテナ本体１は、例えばＵＨＦテレビ放送用アンテナ素子（図示せず）が正面（前方）へ向け漸次傾斜した流線形状で上蓋（図示せず）を取り外した樹脂製筐体２内に収容され、樹脂製上蓋３（図３参照）を筐体２の上面開口２ａに装着することにより構成されている。筐体２内の背面２ｂ側において後述する位置決め金具５を嵌め込むための凹状収納部２ｃが区画された複数の樹脂板で形成され、背面２ｂの長手方向の中央部に、位置決め金具５の４つの突起５ａを後方へ向けて突出させるための４つの開口２１が長手方向および上下方向に等間隔に穿設されている。また、背面２ｂの長手方向のほぼ中央位置に固定用ボルト９の挿通孔２２が穿設され、この挿通孔２２の両側に位置決め金具５の取付用止めネジ７の挿通孔２３がそれぞれ穿設されている。さらに、挿通孔２３の両側には、後述する長尺ボルト１０の挿入口２４がそれぞれ開口され、各挿入口２４から筐体２内に向けて長尺ボルト１０先端部分の挿入部としての角筒状収納部２５が一連に延設されている。なお、アンテナ本体１の底面で背面寄りに、図４−１（ｂ）に示すように本例では入出力用の２つの接続端子１２が設けられている。
【００２７】
位置決め金具５は略長方形の金属板からなり、図１に示すように上下両辺から位置決め用突起５ａが後方へ直角に屈折成形され、後方へ向け突出している。４つの突起５ａは全て等間隔に配置され、筐体２の各開口２１の位置に対応している。位置決め金具５の長手方向および上下方向のほぼ中心に固定用ボルト９のねじ孔５１が穿設され、その両側の側辺近傍に固定用止めネジ７のネジ孔５２がそれぞれ穿設されている。
【００２８】
マスト取付金具６は正面より見て略長方形状の浅い皿状体からなり、板状本体６ａの周囲に背面方向に延設された垂直壁６ｂ・６ｃを有し、両側の垂直壁６ｂに比べて上下の各垂直壁６ｃが長く延設されており、これらの垂直壁６ｃの長手方向中央部に凹状係合部６ｄが相対向してそれぞれ形成されている。また、板状本体６ａの長手方向および上下方向のほぼ中央部に、固定用ボルト９の挿通孔６１が穿設され、その両側の端部寄りに長尺ボルト１０のねじ孔６２が穿設されている。各ねじ孔６２は、図２に示すように円環状のねじ孔部６３が板状本体６ａの裏面側に突設されている。さらに、板状本体６ａの裏面の挿通孔６１の周辺箇所には、一段低くなった凹み部分６４が形成されている。マスト取付金具６の底面６ｅ側において中央部の挿通孔６１を中心に、４つの位置決め用嵌合部としての位置決め孔６５がそれぞれ等距離離間して形成され、これらの位置決め孔６５は筐体２の各開口２１の位置に対応している。
【００２９】
一方、マスト取付金具６と対をなしてマスト（支柱）Ｍにアンテナ本体１を取り付けるためのマスト押さえ金具８は、図１・図２のように浅い皿状体からなり、中央部分が内向け凹状に湾曲形成された板状本体８ａの周囲に正面方向に延設された垂直壁８ｂ・８ｃを有する。対向する両側（上下）の垂直壁８ｃの長手方向の中央部に凹状係合部８ｄが相対向して形成され、板状本体８ａの両端部に長尺ボルト１０が挿通される一対のボルト孔（挿通孔）８１が穿設されている。これらのボルト孔８１・８１はマスト取付金具６のねじ孔６２および角筒状収納部（挿入部）２５のボルト挿通口２４の各位置に対応している。本例では、板状本体８ａの長手方向の中央部に固定用ボルト９の回転操作用工具（図示せず）の挿入用開口部８２が開口されている。また、マスト押さえ金具８の上下の垂直壁８ｃの間隔はマスト取付金具６の上下の垂直壁６ｃの間隔より広くし、図６のようにマスト押さえ金具８の垂直壁８ｃ間内にマスト取付金具６の垂直壁６ｃが嵌り込むようにしている。
【００３０】
以上のようにして本実施例のアンテナの取付構造が構成される。このアンテナの取付構造の使用態様について詳しく説明する。
【００３１】
鉛直方向に立設したマストＭに対しアンテナ本体１を水平偏波用受信波に対応して水平に取り付ける場合、図４−１（ａ）のようにアンテナ本体１の背面２ｂ中央部において、マスト取付金具６を長手方向に平行に固定する必要がある。このために、図１に示すように位置決め金具５を筐体２内の背面２ｂに当接させ、４つの突起５ａを開口２１より後方へ突出させ、この状態で一対の止めネジ７・７を挿通孔２３から挿入し、ねじ孔５２に螺合して締め付けることにより、背面２ｂを位置決め金具５とマスト取付金具６とで挟持して固定する。この状態で、マスト取付金具６をアンテナ本体１の背面２ｂ中央部に長手方向に平行に配置し、背面２ｂの開口２１より後方へ突出する突起５ａに対しマスト取付金具６の位置決め孔６５を嵌め込む。そして、固定用ボルト９をマスト取付金具６の中央部の挿通孔６１より挿入し、位置決め金具５のねじ孔５１に螺合して緊締し固定する。
【００３２】
ここで、マスト取付金具６の上下の凹状係合部６ｄ（図１参照）を、図４−１（ａ）に示すようにマストＭの前方の面に押し当てた状態で、マスト押さえ金具８の凹状係合部８ｄをマストＭの背面に押し付け、一対の長尺ボルト１０をマスト押さえ金具８のボルト孔８１から挿入し、マスト取付金具６のねじ孔６２に螺合させて締め付ける。このとき、各長尺ボルト１０の先端部がアンテナ本体１側に突出するが、背面２ｂの挿入口２４よりアンテナ本体１内の挿入部２５に挿入される。このようにして、アンテナ本体１はマストＭに対し水平に取り付けられる。この状態で、図４に示すように入出力端子１２には出力用の同軸ケーブル１３の接続端子１４が接続される。また、アンテナ本体１の後方にはマスト押さえ金具８から長尺ボルト１０の頭部１０ａが露出する程度で、危険なものは一切突出しない。また、マスト取付金具６とマスト押さえ金具８間に、図４−２（ｃ）のように長尺ボルト１０の一部が露呈する程度である。
【００３３】
一方、図５は鉛直方向に立設したマストＭに対しアンテナ本体１を垂直偏波用受信波に対応して鉛直に取り付ける場合を示すもので、上記の場合とは、マスト取付金具６をアンテナ本体１の背面２ｂに対し直交する方向に固定したのちに、マストＭをマスト取付金具６とマスト押さえ金具８で挟持しているところが相違する。すなわち、図６に示す梱包状態からアンテナ本体１を取り出してマストＭに取り付ける場合には、工具（例えばＬ形工具）の先端部をマスト押さえ金具８の開口部８２より挿入し、固定用ボルト９を緩める。また、両側の長尺ボルト１０をそれぞれ緩めてマスト取付金具６のねじ孔６２から抜き出す。マスト取付金具６をアンテナ本体１の背面２ｂから引き離し、位置決め孔６５から突起５ａを抜き出す。ここで、マスト取付金具６を固定用ボルト９のボルト軸を中心に９０°回転させ、再び各突起５ａに位置決め孔６５を嵌め込み、固定用ボルト９を締め付け、アンテナ本体１の背面２ｂに対し直交するように固定する。しかし、マストＭをマスト取付金具６とマスト押さえ金具８で挟持したり、受信しようとする電波の到来方向に合わせて鉛直方向のアンテナ本体１をマストＭに対し水平に旋回させ、受信しようとする電波をアンテナ本体１の正面で受けるようにして２本の長尺ボルト１０で緊締したりするところなど、その他の態様については共通するので、詳しい説明は省略する。なお、図５に示すように、アンテナ本体１をマストＭに対し鉛直に取り付けた状態でも、アンテナ本体１の後方へ危険なものが一切突出せず、マスト押さえ金具８の後方に長尺ボルト１０の頭部１０ａが露呈するのは、アンテナ本体１を水平方向に取り付けた状態と同様である。なお、本例の場合、一対の長尺ボルト１０の間隔に比べてアンテナ本体１の厚みを薄くしているので、図５−１（ａ）のように長尺ボルト１０の先端部分がアンテナ本体１の外部に露出するが、アンテナ本体１の背面２ｂ側の厚みを一対の長尺ボルト１０の間隔に合わせて形成し、マストＭにアンテナ本体１を取り付けた状態で一対の長尺ボルト１０の先端部分でアンテナ本体１を挟持して支持させたり、アンテナ本体１の上蓋３と底面とに各長尺ボルト１０の先端部分が挿入可能な収納部（図示せず）を形成したりすることもできる。
【００３４】
ところで、アンテナ本体１の梱包状態では、図６に示すようにマスト取付金具６はアンテナ本体１の背面２ｂに平行に固定され、このマスト取付金具６にマスト押さえ金具８をその凹状係合部側を突き合わせるように重ね合わせ、一対の長尺ボルト１０をマスト取付金具６のねじ孔６２に螺合して締め付けてアンテナ本体１に全ての構成部材が一体的に固定される。このとき、長尺ボルト１０の先端部分はアンテナ本体１の挿入口２４より内部の挿入部２５に挿入されるので、コンパクトになり、収納スペースを小さくできる上に、輸送時のガタつきも防止できる。
【００３５】
以上に本発明のアンテナの取付構造の実施例を示したが、つぎのように実施することができる。
【００３６】
・位置決め金具５をアンテナ本体１内の背面２ｂ側に配置したが、例えば背面２ｂの中央部外面に取り付けることもできる。
【００３７】
・マスト押さえ金具８の板状本体８ａにおける両端部のボルト孔８１を長手方向に延びる長孔にしてもよく、また一方の長孔の一端を切り欠いて開放してもよく、さらに各ボルト孔８１を長尺ボルト１０の外径より大きくして長尺ボルト１０を遊嵌できるようにしてもよい。このようにすれば、マスト取付金具６のねじ孔６２と多少の心ずれがあっても長尺ボルト１０をマスト取付金具６のねじ孔６２に容易かつ確実に螺合させられる。
【００３８】
・図示は省略するが、本発明はアンテナ本体１に内蔵されるアンテナ素子が水平偏波または垂直偏波のいずれか一方の電波を受信するものを対象としているので、上記実施例のようにアンテナ本体１の形状は正面より見て略長方形に限らず、例えば、立方体や球体の形状からなるアンテナ本体１についても同様に実施できることは言うまでもない。
【００３９】
・マスト取付金具６の長さおよび高さをマスト押さえ金具８に比べてそれぞれ小さくし、両者を突き合わせたときにマスト取付金具６がマスト押さえ金具８内に完全に嵌り込むようにすることもできる。
【００４０】
・構造を簡略化するために、マスト押さえ金具８の開口部８２をなくしたり、マスト取付金具６の凹み部分６４を省いたりすることもできる。
【図面の簡単な説明】
【００４１】
【図１】本発明の実施例に係るアンテナの取付構造を示す背面側（後方）の上方より見たアンテナ本体の上蓋を取り外した状態の、位置決め金具、マスト取付金具およびマスト押さえ金具の分解斜視図で、アンテナ素子を省略している。
【図２】図１に示すアンテナの取付構造をアンテナ本体の背面側の下方より見た状態の、マスト取付金具およびマスト押さえ金具の斜視図である。
【図３】図１のアンテナ本体を背面側上方より見た斜視図である。
【図４−１】鉛直方向に立設したマストにアンテナ本体を水平に取り付た状態（アンテナ本体を水平偏波受信状態にマストに取り付けた態様）を示すもので、図４−１（ａ）は同平面図、図４−１（ｂ）は同正面図である。
【図４−２】図４−２（ｃ）は同側面図、図４−２（ｄ）は同背面図である。
【図５−１】鉛直方向に立設したマストにアンテナ本体を鉛直に取り付た状態（アンテナ本体を垂直偏波受信状態にマストに取り付けた態様）を示すもので、図５−１（ａ）は同平面図、図５−１（ｂ）は同正面図である。
【図５−２】図５−２（ｃ）は同側面図、図５−２（ｄ）は同背面図である。
【図６】アンテナ本体１の梱包状態を示すもので、図６（ａ）は同平面図、図６（ｂ）は同側面図である。
【符号の説明】
【００４２】
１  アンテナ本体
２  樹脂製筐体
２ｂ背面
３  樹脂製上蓋
５  位置決め金具
５ａ突起
５１・５２  ねじ孔
６  マスト取付金具
６１  挿通孔
６２  ねじ孔
６３  ねじ孔部
６４  凹み部分
６５  位置決め孔（位置決め用嵌合部）
７  止めネジ
８  マスト押さえ金具
８１  ボルト孔（挿通孔）
８２  開口部
９  固定用ボルト
１０  長尺ボルト
１２  入出力用接続端子
Ｍ  マスト（支柱）
【図１】
0004628215.tif 000002
【図２】
0004628215.tif 000003
【図３】
0004628215.tif 000004
【図４−１】
0004628215.tif 000005
【図４−２】
0004628215.tif 000006
【図５−１】
0004628215.tif 000007
【図５−２】
0004628215.tif 000008
【図６】
0004628215.tif 000009